(57)【要約】【課題】長時間使用による装置の性能低下を防止するとともに、装置の組み立てやメンテナンスを容易にする。【解決手段】Ｘ方向に移動するＸ方向移動ステージ２１と、Ｙ方向に移動するＹ方向移動ステージ２２と、各ステージ２１、２２を各方向に案内するガイドローラ２３ａ、２３ｂと、モータ２８により回転駆動される偏芯軸２９、およびこの偏芯軸２９に嵌合され、各ステージ２１、２２を各方向に移動させるステージ移動用ベアリング３０から構成されるステージ移動手段２４とを設ける。ガイドローラ２３ａ、２３ｂにガイド用ベアリング２６を用いるとともに、カラー液晶表示器１１をＹ方向移動ステージ２２上に設置する。画像を印画紙１７に露光させる際は、ステージ移動手段２４を駆動して各ステージ２１、２２を各方向に移動させることにより、カラー液晶表示器１１を微小半径の円運動で回転させる。【選択図】        図２
2004151567.tif 000002
【特許請求の範囲】
【請求項１】
液晶表示器に表示された画像を感光材料に露光させる画像焼き付け装置において、
第１の方向に移動する第１ステージと、この第１ステージの下方に設置され、前記第１の方向と直交する第２の方向に移動する第２ステージと、各ステージを各方向に案内するガイドローラと、回転駆動される偏芯軸、およびこの偏芯軸に嵌合され、前記各ステージを各方向に移動させるベアリングから構成されるステージ移動手段とを設け、
前記ガイドローラにベアリングを用いるとともに、前記液晶表示器を前記第１ステージ上に設置し、
画像を感光材料に露光させる際に、前記ステージ移動手段を駆動して各ステージを各方向に移動させることにより、前記液晶表示器を微小半径の円運動で回転させることを特徴とする画像焼き付け装置。
【発明の詳細な説明】
【０００１】
【発明の属する技術分野】
本発明は、液晶表示器に表示された画像を感光材料に露光させる画像焼き付け装置に関する。
【０００２】
【従来の技術】
ポストカードに使用されるカラープリントや証明写真などを作成する画像焼き付け装置が知られている。この画像焼き付け装置では、液晶表示器を用いてネガ画像やポジ画像を表示し、液晶表示器に光を照射して液晶表示器を透過した光または液晶表示器で反射した光を結像レンズによって感光材料に結像させる状態で、液晶表示器に表示された画像を感光材料上に露光して焼き付けている。
【０００３】
液晶表示器は、マトリクス状に配列された１画素毎の液晶セル（画素ピッチ約０．２ｍｍ）の内部にＲＧＢ３色のフィルタを配置して構成される。液晶表示器の各液晶セル間および各フィルタ間は、配線などにより仕切られているため、液晶表示器に表示される画像の画素間には隙間が生じる。このため、液晶表示器に表示された画像を感光材料上に結像させたときに、隙間に対応する部分は露光されないため現像しても発色せず、彩度が低く見た目に薄いプリントになってしまうという問題があった。
【０００４】
上記のような問題点を解決するために、複数の偏芯カムと、これらを同期させて回転させるタイミングベルトとを用いて液晶表示器を微小回転させ、隙間に対応する部分にも露光して発色させ、彩度を向上させて見た目に適正な濃さのプリントを得る方法が提案されている（特許文献１参照）。
【０００５】
【特許文献１】
特開２００２−８２３９０号公報
【０００６】
【発明が解決しようとする課題】
しかしながら、特開２００２−８２３９０号公報に記載される方法では、偏芯カムやタイミングベルトの突起と係合する溝などが長時間の使用により磨耗してしまうため、正規の回転数で液晶表示器を回転させることができなくなるおそれがある。また、偏芯カムを複数個用いているため、装置組み立て時の位置合わせが必要となり、且つ装置のメンテナンスが煩雑になるという問題があった。
【０００７】
本発明は、長時間使用による装置の性能低下を防止するとともに、装置の組み立てやメンテナンスを容易に行うことができる画像焼き付け装置を提供することを目的とする。
【０００８】
【課題を解決するための手段】
上記目的を達成するために、本発明は、液晶表示器に表示された画像を感光材料に露光させる画像焼き付け装置において、第１の方向に移動する第１ステージと、この第１ステージの下方に設置され、前記第１の方向と直交する第２の方向に移動する第２ステージと、各ステージを各方向に案内するガイドローラと、回転駆動される偏芯軸、およびこの偏芯軸に嵌合され、前記各ステージを各方向に移動させるベアリングから構成されるステージ移動手段とを設け、前記ガイドローラにベアリングを用いるとともに、前記液晶表示器を前記第１ステージ上に設置し、画像を感光材料に露光させる際に、前記ステージ移動手段を駆動して各ステージを各方向に移動させることにより、前記液晶表示器を微小半径の円運動で回転させることを特徴とする。
【０００９】
【発明の実施の形態】
図１に、本発明を実施した画像焼き付け装置の概略構成を示す。画像焼き付け装置２は、ランプおよびリフレクタから構成される光源１０、カラー液晶表示器１１、および結像レンズ１２などからなる。光源１０はハウジング１３内に配置されており、光源１０の光が照射される側には、赤外線カットフィルタ１４、ＣＭＹの３つのフィルタで構成された調光フィルタ１５が順に配置されている。
【００１０】
カラー液晶表示器１１は、ハウジング１３上面の光源１０の光路上に配置されている。このカラー液晶表示器１１は、支持台１６を介してハウジング１３の上面に固定されており、画像データを供給するパーソナルコンピュータ（図示せず）に接続されている。パーソナルコンピュータには、予めカラーネガフィルムやカラーポジフィルムをスキャナによって読み取った画像データや、この画像データと文字データとを組み合わせた画像データなど、プリントを作成するためのデジタル画像データが記憶されている。
【００１１】
図２（Ａ）、（Ｂ）に示すように、支持台１６は、本体部２０、Ｘ方向移動ステージ２１、Ｙ方向移動ステージ２２、ガイドローラ２３ａ、２３ｂ、ステージ移動手段２４、および位置決め部２５ａ、２５ｂから構成される。本体部２０、Ｘ方向移動ステージ２１、およびＹ方向移動ステージ２２は、この順番で下から配置され、Ｙ方向移動ステージ２２上には、カラー液晶表示器１１が設置されている。
【００１２】
本体部２０には、４個のガイドローラ２３ａが取り付けられている。このガイドローラ２３ａは、回転軸に内輪が固定されたガイド用ベアリング２６と、Ｘ方向移動ステージ２１を保持する上下のつば２７とで構成される。ガイド用ベアリング２６は、いわゆる転がり軸受け用ベアリングからなる。Ｘ方向移動ステージ２１は、このガイドローラ２３ａによって本体２０から離間した状態で保持され、Ｘ方向に移動可能となっている。
【００１３】
Ｘ方向移動ステージ２１には、４個のガイドローラ２３ｂが取り付けられている。このガイドローラ２３ｂは、ガイドローラ２３ａと同様に、回転軸に内輪が固定されたベアリング（図示せず）と、Ｙ方向移動ステージ２２を保持する上下のつば（図示せず）とで構成される。Ｙ方向移動ステージ２２は、このガイドローラ２３ｂによってＸ方向移動ステージ２１から離間した状態で保持され、Ｙ方向に移動可能となっている。ガイドローラ２３ａ、２３ｂは、ベアリングを用いているため、回転による部品の磨耗を防止することができる。
【００１４】
ステージ移動手段２４は、モータ２８により回転駆動される偏芯軸２９と、この偏芯軸２９に嵌合されたステージ移動用ベアリング３０とで構成される。モータ２８は、所定の回転数、例えば２０回転／秒で偏芯軸２９を回転駆動させる。偏芯軸２９の下側部分は、外周円の中心が回転中心と一致しており、回転を円滑にするための回転補助ベアリング３１に嵌合され、本体部２０に対して回転自在に保持されている。偏芯軸２９のステージ移動用ベアリング３０が嵌合される部分は、外周円の中心が回転中心に対して所定量偏芯して形成されている。ステージ移動用ベアリング３０は、ガイド用ベアリング２６と同様に転がり軸受け用ベアリングからなり、その内輪は偏芯軸２９に固定され、外輪は後述する位置決め孔３２および位置決め突起３４に固定される。なお、偏芯軸２９の回転中心に対する偏芯量は、０．１ｍｍ程度であることが好ましい。
【００１５】
図３（Ａ）に示すように、位置決め部２５ａは、Ｘ方向移動ステージ２１に穿設された位置決め孔３２と、この位置決め孔３２の上下端に繋がり、Ｘ方向に伸びた一対の長孔３３とからなる。位置決め孔３２のＸ方向の幅は、ステージ移動用ベアリング３０の外径とほぼ同一となっている。Ｘ方向移動ステージ２１を設置する際には、ステージ移動用ベアリング３０を位置決め孔３２の左右側面に固定してＸ方向の位置決めを行う。
【００１６】
図３（Ｂ）に示すように、位置決め部２５ｂには、位置決め突起３４が形成されている（図２（Ｂ）も参照）。この位置決め突起３４のＹ方向の幅は、位置決め孔３２と同様に、ステージ移動用ベアリング３０の外径とほぼ同一となっている。また、Ｘ方向の幅はステージ移動用ベアリング３０の外径に偏芯軸２９のＸ方向の偏芯量を加えたものよりも幅広となっている。Ｙ方向移動ステージ２２を設置する際には、位置決め突起３４を長孔３３に挿入してステージ移動用ベアリング３０を位置決め突起３４の内側面に固定してＹ方向の位置決めを行う。このようにすると、位置決めを１箇所のみで行うことができ、装置の組み立てやメンテナンスを容易に行うことができる。さらに、ベアリングを用いているため、回転による部品の磨耗を防止することができる。
【００１７】
偏芯軸２９が回転すると、Ｘ方向移動ステージ２１に固定されたＹ方向移動ステージ２２は、Ｘ方向移動ステージ２１とともにＸ方向に移動する。これと同時に、Ｙ方向移動ステージ２２はＹ方向に移動する。このようにしてカラー液晶表示器１１が微小半径の円運動で回転される。
【００１８】
図１において、結像レンズ１２は、カラー液晶表示器１１からの投影画像を印画紙１７上に結像させる。結像レンズ１２と印画紙１７との間には、ブラックシャッタ１８が配置されている。ブラックシャッタ１８は、画像の露光時間に応じて開閉される。このブラックシャッタ１８、および前述の調光フィルタ１５、モータ２８は、マイクロコンピュータなどで構成された図示しない制御装置により駆動制御される。
【００１９】
画像の焼き付けを行う際には、まず調光フィルタ１５を制御して光源１０から照射された光を調整した後、パーソナルコンピュータからカラー液晶表示器１１にデジタル画像データを供給して焼き付ける画像を表示する。このとき、モータ２８を駆動させて偏芯軸２９を回転させ、カラー液晶表示器１１を微小半径で円運動させる。この状態でブラックシャッタ１８を露光時間に応じて開閉し、光源１０から照射された光をカラー液晶表示器１１、および結像レンズ１２を介して印画紙１７に結像させる。これによりカラー液晶表示器１１に表示された画像が印画紙１７に露光される。
【００２０】
上記のように画像の焼き付けを行うと、印画紙１７上に結像された画像は微小半径で略円運動され、カラー液晶表示器１１で表示される画像の隙間に対応する部分も露光させることができる。したがって、現像されたプリントの彩度が向上して、見た目に適正な濃さのプリントを得ることができる。また、焼き付けられた印画紙１７を現像してプリントを作成したときに、プリントされた画像にざらつきが生じない。
【００２１】
なお、ガイドローラ２３ａ、２３ｂの各方向に対向する一方をバネに代え、もう一方の側にステージを付勢してガタ取りをしてもよく、ガイドローラにクロスローラガイドを用いてもよい。また、位置決め部２５ａ、２５ｂを別部品で構成すれば、装置の組み立てやメンテナンスをさらに容易に行うことができる。また、カラー液晶表示器１１を微小半径の円運動で回転させる機構としては、アームを用いて並進運動を回転運動に変換するリンク機構を用いてもよい。
【００２２】
【発明の効果】
以上のように、本発明の画像焼き付け装置によれば、第１の方向に移動する第１ステージと、この第１ステージの下方に設置され、前記第１の方向と直交する第２の方向に移動する第２ステージと、各ステージを各方向に案内するガイドローラと、回転駆動される偏芯軸、およびこの偏芯軸に嵌合され、前記各ステージを各方向に移動させるベアリングから構成されるステージ移動手段とを設け、前記ガイドローラにベアリングを用いるとともに、液晶表示器を前記第１ステージ上に設置し、画像を感光材料に露光させる際に、前記ステージ移動手段を駆動して各ステージを各方向に移動させることにより、前記液晶表示器を微小半径の円運動で回転させるので、長時間使用による装置の性能低下を防止するとともに、装置の組み立てやメンテナンスを容易に行うことができる。
【図面の簡単な説明】
【図１】本発明の画像焼き付け装置の概略構成を示す図である。
【図２】支持台の構成を示す図であり、（Ａ）は上部平面図、（Ｂ）は要部断面図である。
【図３】位置決め部の構成を示す図であり、（Ａ）は位置決め部２５ａ、（Ｂ）は位置決め部２５ｂをそれぞれ示す。
【符号の説明】
２  画像焼き付け装置
１１  カラー液晶表示器
１２  結像レンズ
１７  印画紙
２１  Ｘ方向移動ステージ
２２  Ｙ方向移動ステージ
２３ａ、２３ｂ  ガイドローラ
２４  ステージ移動手段
２６  ガイド用ベアリング
２９  偏芯軸
３０  ステージ移動用ベアリング
【図１】
2004151567.tif 000003
【図２】
2004151567.tif 000004
【図３】
2004151567.tif 000005